(57)【要約】【課題】シンプルな構成で受信感度を向上させることができる情報処理装置および制御方法を提供する。【解決手段】チューナユニット４１，４２によって受信されたチャネル毎にｇｏｏｄチューナ情報を記憶し、所定のチャネル表示要求があった場合に、ｇｏｏｄチューナ情報に基づいて、表示要求があったチャネルに対応するチューナユニットを選択し、選択されたチューナユニットによって受信されたチャネルを表示する。【選択図】      図２
2008160422.tif 000002
【特許請求の範囲】
【請求項１】
第１のチューナ部と第２のチューナ部とを備えた情報処理装置であって、
第１のチューナ部および第２のチューナ部によって受信されたチャネル毎に受信感度情報を記憶する記憶手段と、
所定のチャネル表示要求があった場合に、前記記憶手段に記憶された受信感度情報に基づいて、前記表示要求があったチャネルに対応する受信感度の良い方の前記チューナ部を選択する選択手段と、
前記選択手段により選択された前記チューナ部によって受信されたチャネルを表示する表示手段と、
を具備することを特徴とする情報処理装置。
【請求項２】
請求項１に記載の情報処理装置において、
選択された前記チューナ部が使用中であった場合は、選択された前記チューナ部とは異なるチューナ部によって受信されたチャネルを表示することを特徴とする情報処理装置。
【請求項３】
請求項１に記載の情報処理装置において、
受信された前記チャネル毎に受信感度情報を記憶する際、所定値に満たない受信感度であったときは、利用不可能な受信感度である旨を記憶することを特徴とする情報処理装置。
【請求項４】
請求項１に記載の情報処理装置において、
前記受信感度情報は、前記第１のチューナ部および第２のチューナ部のうち、いずれのチューナの方が感度が良いかを示す情報が含まれることを特徴とする情報処理装置。
【請求項５】
第１のチューナ部と第２のチューナ部とを備えた情報処理装置の制御方法であって、
第１のチューナ部および第２のチューナ部によって受信されたチャネル毎に受信感度情報を記憶手段に記憶するステップと、
所定のチャネル表示要求があった場合に、前記記憶手段に記憶された受信感度情報に基づいて、前記表示要求があったチャネルに対応する受信感度の良い方の前記チューナ部を選択するステップと、選択された前記チューナ部によって受信されたチャネルを表示するステップと、
を有することを特徴とする制御方法。
【請求項６】
請求項５に記載の制御方法において、
選択された前記チューナ部が使用中であった場合は、選択された前記チューナ部とは異なるチューナ部によって受信されたチャネルを表示するステップを含むことを特徴とする制御方法。
【請求項７】
請求項５に記載の制御方法において、
選択された前記チューナ部が使用中であった場合は、選択された前記チューナ部とは異なるチューナ部によって受信されたチャネルを表示することを特徴とする制御方法。
【請求項８】
請求項５に記載の制御方法において、
受信された前記チャネル毎に受信感度情報を記憶する際、所定値に満たない受信感度であったときは、利用不可能な受信感度である旨を記憶することを特徴とする制御方法。
【発明の詳細な説明】
【技術分野】
【０００１】
本発明は、パーソナルコンピュータのような情報処理装置および同装置を用いた制御方法に関する。
【背景技術】
【０００２】
近年、ＴＶチューナユニットを搭載したパーソナルコンピュータが多数、開発されてきている。ＴＶチューナユニットを搭載したパーソナルコンピュータの中には、裏番組録画や同時録画に対応したＴＶチューナユニットを２つ搭載（ダブルチューナ）したものもある。ダブルチューナを搭載したパーソナルコンピュータでは、例えば、特許文献１に開示されているように、搭載した２つのＴＶチューナユニットを用いて、チャネル受信時に、２つのＴＶチューナユニットを用いてダイバーシティ方式で受信することにより、受信感度を向上させている（特許文献１参照）。
【特許文献１】特開２００５−４５５０８号公報
【発明の開示】
【発明が解決しようとする課題】
【０００３】
しかし、特許文献１の技術では、ダイバーシティ方式を用いているので、ダイバーシティ合成ユニットを設けなければならず、コストが高くなってしまう。また、ダイバーシティ合成ユニットの設置面積も必要になる。
【０００４】
本発明は上述の事情を考慮してなされたものであり、シンプルな構成で受信感度を向上させることができる情報処理装置および制御方法を提供することを目的とする。
【課題を解決するための手段】
【０００５】
上記目的を達成するために、本発明の一態様によれば、第１のチューナ部と第２のチューナ部とを備えた情報処理装置であって、第１のチューナ部および第２のチューナ部によって受信されたチャネル毎に受信感度情報を記憶する記憶手段と、所定のチャネル表示要求があった場合に、前記記憶手段に記憶された受信感度情報に基づいて、前記表示要求があったチャネルに対応する受信感度の良い方の前記チューナ部を選択する選択手段と、前記選択手段により選択された前記チューナ部によって受信されたチャネルを表示する表示手段と、を具備することを特徴とする情報処理装置が提供される。
【発明の効果】
【０００６】
本発明によれば、シンプルな構成で受信感度を向上させることができる。
【発明を実施するための最良の形態】
【０００７】
以下、図面を参照して本発明の実施形態を説明する。  
図１には、本発明の一実施形態に係る情報処理装置の斜視図が示されている。この情報処理装置は、バッテリ駆動可能なノートブック型コンピュータ１０として実現されている。
【０００８】
図１に示すように、コンピュータ１０の本体側は薄い箱形の筐体を有しており、その上面には、キーボード（ＫＢ）１３、パームレスト上にはタッチパッド３５、および左右２つのボタン、パワーボタン１４等が配置されている。また、ＬＣＤ１５が配置されている蓋部の内部には、ＴＶアンテナ４４が設けられている。ＴＶアンテナ４４は、本体１０の内部に設けられた分配器４３を介して、２つのＴＶ用のチューナユニット４１、４２に接続されている。
【０００９】
図２は、コンピュータ１０の構成を示したブロック図である。
【００１０】
このパーソナルコンピュータ１０は、図示のように、ＣＰＵ（Central Processing Unit）１１、ノースブリッジ１２、主メモリ３８、グラフィクスコントローラ１７、表示装置（ＬＣＤ）１５、サウスブリッジ１６、ハードディスクドライブ（ＨＤＤ）２０、ＢＩＯＳ−ＲＯＭ２１、エンベデッドコントローラ／キーボードコントローラＩＣ（ＥＣ／ＫＢＣ）２２、および電源コントローラ（ＰＳＣ）２３、キーボード（ＫＢ）１３、タッチパッド３５、チューナユニット４１、４２、分配器４３、ＴＶアンテナ４４などを備えている。
【００１１】
ノースブリッジ１２、グラフィクスコントローラ１７、サウスブリッジ１６の各々は、PCI EXPRESS規格に準拠したデバイス（コンポーネント）である。ノースブリッジ１２とグラフィクスコントローラ１７との間の通信は、ノースブリッジ１２とグラフィクスコントローラ１７との間に配設されたPCI EXPRESSリンク２１を介して実行される。各PCI EXPRESSリンクはシリアルインタフェースから構成される通信路であり、アップストリームレーンおよびダウンストリームレーンを含む。
【００１２】
ＣＰＵ１１は本コンピュータの動作を制御するプロセッサであり、ＨＤＤ２０から主メモリ３８にロードされる各種プログラム（オペレーティングシステム、各種アプリケーションプログラム、画像編集ソフトウェア等）を実行する。また、ＣＰＵ１１は、ＢＩＯＳ−ＲＯＭ２１に格納されたＢＩＯＳ（Basic Input Output System）も実行する。ＢＩＯＳはハードウェアを制御するためのプログラムである。また、ＢＩＯＳは、PCI Express 規格で規定されたActive State Power Management （ASPM）機能の実行を本コンピュータの動作モードに応じて動的に許可または禁止するためのＳＭＩ（System Management Interrupt）ルーチンを有している。
【００１３】
ノースブリッジ１２はＣＰＵ１１のローカルバスとサウスブリッジ１６との間を接続するブリッジデバイスである。ノースブリッジ１２には、主メモリ３８をアクセス制御するメモリコントローラも内蔵されている。また、ノースブリッジ１２は、PCI EXPRESSリンク２１を介してグラフィクスコントローラ１７との通信を実行する機能も有している。
【００１４】
グラフィクスコントローラ１７は本コンピュータのディスプレイモニタとして使用されるＬＣＤ１５を制御する表示コントローラである。サウスブリッジ１６は、ＰＣＩブリッジ４０を介して接続されたチューナユニット４１、４２等との通信を実行する機能等を有している。また、サウスブリッジ１６は、ＬＰＣ（Low Pin Count）バス３０上の各デバイスの制御も実行する。
【００１５】
エンベデッドコントローラ／キーボードコントローラＩＣ（ＥＣ／ＫＢＣ）２２は、電力管理のためのエンベデッドコントローラと、キーボード（ＫＢ）１３およびタッチパッド３５を制御するためのキーボードコントローラとが集積された１チップマイクロコンピュータである。このエンベデッドコントローラ／キーボードコントローラＩＣ（ＥＣ／ＫＢＣ）２２は、ユーザによるパワーボタン２４の操作に応じて、電源コントローラ（ＰＳＣ）２３と共同して、本コンピュータ１０をパワーオン／パワーオフする機能を有している。さらに、エンベデッドコントローラ／キーボードコントローラＩＣ（ＥＣ／ＫＢＣ）２２は、本コンピュータに対するＡＣアダプタ２８の接続および取り外しを検出する機能も有している。
【００１６】
次に、以上のように構成された本発明の情報処理装置を適用した制御方法について図３のフローチャートを参照して説明する。
【００１７】
ＣＰＵ１１は、ＨＤＤ２０から専用アプリケーションを主メモリ３８にロードする。ＣＰＵ１１は、チャネルサーチスキャンの指示を受けると（ステップＳ１０１）、チャネルサーチスキャン指示に従い、ＣＰＵ１１は、専用アプリケーションにより、すべてのチューナユニット４１，４２に同時にチャネルサーチスキャンを指示する（ステップＳ１０２）。スキャン結果に基づいて、テーブルを作成する（ステップＳ１０３）。すなわち、チューナユニット４１，４２（第１および第２のチューナ部）によって受信されたチャネル毎に受信感度情報をＨＤＤ２０等の記憶手段に記憶する。作成されるテーブルは、例えば、図４に示すように、チャネル（１〜４）ごとに各チューナユニット４１，４２に対応するステータス（受信可または不可）、受信感度（例えば、ｄＢ：デシベル値）、どちらのチューナユニットで受信した感度が良かったか（ｇｏｏｄチューナはどちらか）等の情報が記憶される。ステータス（受信可または不可）は、例えば、受信感度が２０ｄＢ以上のチャネルは「可」、受信感度が２０ｄＢ未満のチャネルは「不可」として判別する。以上で、スキャンが終了する（ステップＳ１０４のＹＥＳ）。
【００１８】
次に、例えば、図４に示すように、チャネル１のチューナユニット１（チューナユニット４１：第１のチューナ部）で受信したステータスは「可」、受信感度は、２０ｄＢ、チャネル１のチューナユニット２（チューナユニット４２：第２のチューナ部）で受信したステータスは「可」、受信感度は、３０ｄＢ、となり、受信感度良い方のチューナユニットである「ｇｏｏｄチューナ」は、チューナ番号２（チューナユニット４２）となる。また、チャネル２のチューナユニット１（チューナユニット４１：第１のチューナ部）で受信したステータスは「可」、受信感度は、２５ｄＢ、チャネル２のチューナユニット２（チューナユニット４２：第２のチューナ部）で受信したステータスは「不可」、受信感度は、１８ｄＢ、となり、ステータスが「可」であるチューナユニットは１であるので、「ｇｏｏｄチューナ」は、チューナ番号１（チューナユニット４１）となる。同様にして、チャネル３、チャネル４についてもスキャンを行い、「ｇｏｏｄチューナ」を決定し、テーブルとしてＨＤＤ２０等のメモリに記憶する（ステップＳ１０５）。
【００１９】
次に、図６は、チャネル表示要求を受けた場合の制御方法について示したフローチャートである。
【００２０】
なお、チューナユニット４１，４２は、番組視聴時や録画時には、使用チューナを「使用チューナテーブル」に記憶する。「使用チューナテーブル」は、例えば、図５に示すように、第１使用チューナ（最初に使用されたチューナ）は、チューナ番号１（チューナユニット４１）であることが記憶されている。例えば、この状態で、チューナユニット４１（チューナ番号１）を用いて番組を試聴し、裏番組をチューナユニット４２（チューナ番号２）を用いて録画する場合は、「使用チューナテーブル」の第２使用チューナに、チューナ番号２（チューナユニット４２）を記憶する。
【００２１】
ＣＰＵ１１は、上述した専用アプリケーション等を介して、チャネル表示要求を受けると、「ｇｏｏｄチューナ」と「第１使用チューナ」が同じか否かを判別する（ステップＳ２０１）。例えば、チャネル１の表示要求を受けた場合、チャネル１の「ｇｏｏｄチューナ」は、図４のテーブルよりチューナ番号２（チューナユニット４２）であるので、「チューナ番号２」と「使用チューナテーブル（図５参照）」に記憶されている第１使用チューナまたは第２使用チューナとを比較する。「使用チューナテーブル」では、第１使用チューナに「チューナ番号１」が記憶されているので、チャネル１の「ｇｏｏｄチューナ」である「チューナ番号２」とは異なる。ＣＰＵ１１によって、ステップＳ２０１で「ｇｏｏｄチューナ」と「第１使用チューナ」が同じでないと判別されると、チャネル１の「ｇｏｏｄチューナ」である「チューナ番号２」、すなわち、チューナユニット４２を使用する（ステップＳ２０２）。
【００２２】
一方、ＣＰＵ１１によって、ステップＳ２０１で「ｇｏｏｄチューナ」と「第１使用チューナ」が同じであると判別されると、チャネル１の「ｇｏｏｄチューナ」である「チューナ番号２」、すなわち、チューナユニット４２は使用中であるので、別のチューナであるチューナユニット４１を使用する（ステップＳ２０３）。
【００２３】
以上のように、本実施形態によると、チューナユニットを２つ搭載した情報処理装置においては、その他の機器を追加することなく、最適な感度のチューナユニットを選択して所望のチャネルを受信することができるので、受信感度を向上させることができる。
【００２４】
また、変形例としては、上述したように、複数のチューナユニットのスキャンを同時に行う形態ではなく、各チューナユニットごとにそれぞれスキャンを行い、すべてのチューナユニットのスキャンが終わった後に、すべてのチューナユニットの受信感度を比較して「ｇｏｏｄチューナ」を定めるようにしてもよい。
【００２５】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００２６】
【図１】本発明の一実施形態に係る情報処理装置を示した斜視図。
【図２】本発明の一実施形態に係る情報処理装置のシステム構成を示すブロック図。
【図３】本発明の情報処理装置を適用した制御方法に係るスキャン処理について説明したフローチャート。
【図４】所定のスキャン結果のテーブル情報を表示した場合を示した模式図。
【図５】所定の使用チューナのテーブル情報を表示した場合を示した模式図。
【図６】本発明の情報処理装置を適用した制御方法に係るチャネル表示処理について説明したフローチャート。
【符号の説明】
【００２７】
１１…ＣＰＵ、１７…グラフィクスコントローラ、１６…サウスブリッジ、２０…ハードディスク、２２…ＥＣ／ＫＢＣ４１，４２…チューナユニット、４３…分配器、４４…ＴＶアンテナ
【図１】
2008160422.tif 000003
【図２】
2008160422.tif 000004
【図３】
2008160422.tif 000005
【図４】
2008160422.tif 000006
【図５】
2008160422.tif 000007
【図６】
2008160422.tif 000008